(57)【特許請求の範囲】
【請求項１】
処理装置内でシート状記録媒体に所定の処理を施す前に、前記シート状記録媒体を清掃するシート状記録媒体の清掃方法であって、
前記シート状記録媒体の両面側に配置される第１および第２除塵部材を互いに離間させる工程と、
前記シート状記録媒体の搬送方向先端が前記第１および第２除塵部材間に進入する際に、前記第１または第２除塵部材の少なくとも一方を変位させ、該第１および第２除塵部材により前記シート状記録媒体の両面を挟持して該シート状記録媒体を清掃する工程と、
を有し、
前記第１および第２除塵部材により前記シート状記録媒体の先端を挟持する挟持力が、該第１および第２除塵部材の挟持面が前記シート状記録媒体の面方向に略一致する挟持状態の挟持力に比べて小さくなるように設定されることを特徴とするシート状記録媒体の清掃方法。
【請求項２】
処理装置内でシート状記録媒体に所定の処理を施す前に、前記シート状記録媒体を清掃するシート状記録媒体の清掃装置であって、
前記シート状記録媒体の一方の面側に配置される第１除塵部材と、
前記シート状記録媒体の他方の面側に配置される第２除塵部材と、
前記第１または第２除塵部材の少なくとも一方を変位させ、該第１および第２除塵部材により前記シート状記録媒体の両面を挟持して該シート状記録媒体を清掃するための駆動機構と、
を備え、
前記駆動機構は、駆動源と、前記駆動源に連結されるとともに、前記第２除塵部材を支持して前記シート状記録媒体に対し進退可能な支持手段とを有し、
前記第２除塵部材は、前記支持手段が有するカム板に揺動可能に支持されており、
揺動支点に対する前記第２除塵部材上の最短点と前記シート状記録媒体の清掃時導入側にある前記第２除塵部材の一方の屈曲部との長さが、前記第２除塵部材上の最短点と該シート状記録媒体の清掃時導出側にある前記第２除塵部材の他方の屈曲部との長さよりも長尺に構成されるとともに、
前記揺動支点を前記シート状記録媒体側に付勢するばね部材が配設されることを特徴とするシート状記録媒体の清掃装置。
【請求項３】
請求項２記載の清掃装置において、前記第２除塵部材は、前記シート状記録媒体を挟持した状態で、前記カム板に対して揺動可能であることを特徴とするシート状記録媒体の清掃装置。
【請求項４】
請求項２または３記載の清掃装置において、前記第１および第２除塵部材は、前記シート状記録媒体を挟持する際に、該第１および第２除塵部材の挟持面が前記シート状記録媒体の面方向に略一致するように配置されることを特徴とするシート状記録媒体の清掃装置。
【請求項５】
請求項２乃至４のいずれか１項に記載の清掃装置において、前記第１および第２除塵部材は、少なくとも前記シート状記録媒体を挟持する側の面に緩衝部材が設けられることを特徴とするシート状記録媒体の清掃装置。
【請求項６】
請求項５記載の清掃装置において、前記第１または第２除塵部材は、前記シート状記録媒体の記録面に当接する面にスポンジ部材と前記緩衝部材とが積層されることを特徴とするシート状記録媒体の清掃装置。
【請求項７】
請求項２乃至６のいずれか１項に記載の清掃装置において、前記シート状記録媒体は蓄積性蛍光体シートであることを特徴とするシート状記録媒体の清掃装置。
【発明の詳細な説明】
【０００１】
【発明の属する技術分野】
本発明は、処理装置内でシート状記録媒体に所定の処理を施す前に、前記シート状記録媒体を清掃するシート状記録媒体の清掃方法および装置に関する。
【０００２】
【従来の技術】
例えば、蓄積性蛍光体（輝尽性蛍光体）を利用して、人体等の被写体の放射線画像情報を一旦記録し、この放射線画像情報を写真フイルム等の写真感光材料等に再生し、あるいはＣＲＴ等に可視像として出力させるシステムが知られている。
【０００３】
蓄積性蛍光体は、放射線（Ｘ線、α線、γ線、電子線、紫外線等）の照射によりこの放射線エネルギの一部を蓄積し、後に可視光等の励起光の照射によって、蓄積されたエネルギに応じて輝尽発光を示す蛍光体をいう。この蓄積性蛍光体は、取り扱いの容易性等から、通常、シート状である蓄積性蛍光体シート（シート状記録媒体）として使用されている。
【０００４】
上記システムでは、例えば、蓄積性蛍光体シートに被写体の放射線画像情報を一旦記録する撮影部と、前記放射線画像情報が記録された前記蓄積性蛍光体シートに励起光を照射して前記放射線画像情報を光電的に読み取る読み取り部と、読み取り後に前記蓄積性蛍光体シートに残存する放射線画像情報を消去する消去部とを一体的に組み込み、該蓄積性蛍光体シートを装置内で循環または往復させる、所謂、ビルトイン方式の画像情報読取装置が使用されている。
【０００５】
また、上記システムでは、予め放射線画像情報が記録された蓄積性蛍光体シートが収容されたカセッテを装填するカセッテ装填部と、前記カセッテから取り出された前記蓄積性蛍光体シートに担持された放射線画像情報を読み取る読み取り部と、前記蓄積性蛍光体シートに残存する放射線画像情報を消去する消去部とを組み込むカセット方式の画像情報読取装置が採用されている。
【０００６】
【発明が解決しようとする課題】
ところで、放射線画像情報の読み取り時に蓄積性蛍光体シート上に塵埃等が付着していると、読み取り画像の読み取り時に読み取り不良が発生してしまい、高品質な読み取り処理が遂行されないおそれがある。このため、蓄積性蛍光体シートの清掃作業を頻繁に行う必要があるが、画像情報読取装置内で前記蓄積性蛍光体シートに付着する塵埃等を確実に除去することができないという問題が指摘されている。
【０００７】
また、この種の問題は、写真フイルム等のシート状記録媒体に放射線画像情報を直接記録する際にも発生しており、これによって高品質な記録画像が遂行されないおそれがある。
【０００８】
本発明はこの種の問題を解決するものであり、簡単な構成で、シート状記録媒体の清掃作業を確実かつ効率的に遂行可能なシート状記録媒体の清掃方法および装置を提供することを目的とする。
【０００９】
【課題を解決するための手段】
本発明に係るシート状記録媒体の清掃方法および装置では、互いに離間して配置されている第１および第２除塵部材の間にシート状記録媒体の搬送方向先端が進入すると、前記第１または第２除塵部材の少なくとも一方が変位して該第１および第２除塵部材により前記シート状記録媒体の両面が挟持され、前記シート状記録媒体の清掃作業が行われる。
【００１０】
このため、処理装置内でシート状記録媒体の清掃作業が容易かつ確実に遂行され、前記シート状記録媒体の処理が高精度に行われる。しかも、シート状記録媒体が第１除塵部材と第２除塵部材との間に進入する際の衝撃が緩和され、前記第１および第２除塵部材の耐久性が向上するとともに、駆動源の小型化が容易に図られる。さらに、シート状記録媒体を高速搬送しながら清掃作業が遂行されるため、サイクルタイムの低下を惹起することがない。
【００１１】
その際、第２除塵部材は、前記支持手段が有するカム板に揺動可能に支持されており、揺動支点に対する前記第２除塵部材上の最短点と前記シート状記録媒体の清掃時導入側にある前記第２除塵部材の一方の屈曲部との長さが、前記第２除塵部材上の最短点と該シート状記録媒体の清掃時導出側にある前記第２除塵部材の他方の屈曲部との長さよりも長尺に構成されるとともに、前記揺動支点を前記シート状記録媒体側に付勢するばね部材が配設される。従って、支持手段および駆動源を備えた駆動機構全体の構成が有効に簡素化される。
【００１２】
また、第１および第２除塵部材によりシート状記録媒体の先端を挟持する挟持力が、該第１および第２除塵部材の挟持面が前記シート状記録媒体の面方向に略一致する挟持状態の挟持力に比べて小さくなるように設定されている。これにより、シート状記録媒体が第１および第２除塵部材に当接する際の衝撃が有効に吸収され、前記第１および第２除塵部材の耐久性を向上させるとともに、前記シート状記録媒体の搬送負荷の軽減が図られる。
【００１３】
さらにまた、第２除塵部材は、シート状記録媒体を挟持した状態で前記カム板に対して揺動可能である。このため、第１および第２除塵部材は、シート状記録媒体の面に確実に密着することができ、このシート状記録媒体の清掃性を確保するとともに、該シート状記録媒体の搬送時に負荷が発生することがない。
【００１４】
また、第１および第２除塵部材は、少なくともシート状記録媒体を挟持する側の面に緩衝部材が設けられ、このシート状記録媒体に損傷等を与えることを阻止することが可能になる。さらに、シート状記録媒体の記録面に当接する面には、緩衝部材とスポンジ部材とが積層されるため、この記録面を一層確実に保護することができる。
【００１５】
さらにまた、シート状記録媒体が蓄積性蛍光体シートであり、読み取り前の前記蓄積性蛍光体シートに第１および第２除塵部材を接触させることにより、前記蓄積性蛍光体シートに付着している塵埃等が確実に除去される。これにより、放射線画像情報の読み取り時に塵埃等による読み取り不良が発生することがなく、高品質な読み取り処理が効率的に遂行される。
【００１６】
【発明の実施の形態】
図１は、本発明の実施形態に係るシート状記録媒体の清掃装置が組み込まれる画像情報読取装置（処理装置）１０の内部構成説明図である。
【００１７】
画像情報読取装置１０を構成する装置本体１２の前面（操作面）上部には、操作部およびモニタの機能を有するタッチパネル１４が設けられ、このタッチパネル１４の下方には、カセッテ１８を着脱自在なカセッテ装填部２０が設けられる。
【００１８】
カセッテ１８は、蓄積性蛍光体シート２２を収容する筐体２４と、この筐体２４の開口部２６を開閉自在な蓋体２８とを有している。蓄積性蛍光体シート２２は、透明なベース面上に記録面が設けられ、励起光の照射によって両面側から輝尽発光光を発する両面読み取り型シート体を構成している。
【００１９】
カセッテ装填部２０には、カセッテ１８を載置するための支持台３０が設けられるとともに、装置本体１２の内部を遮光するためのシャッター部材３２が開閉自在に配置される。カセッテ装填部２０の内部には、カセッテ１８から蓄積性蛍光体シート２２を取り出す一方、後述する読み取り処理および消去処理後の前記蓄積性蛍光体シート２２を前記カセッテ１８内に戻す枚葉部３６が装着される。枚葉部３６は、カセッテ装填部２０で蓋体２８が開放されたカセッテ１８内に進入自在な吸着盤４０ａ、４０ｂを備える。
【００２０】
枚葉部３６の下方には、搬送系４２を介して消去部４４および読み取り部４６が配設される。搬送系４２は、複数の互いに対をなすローラ対４８を備えており、このローラ対４８により構成される鉛直搬送路に消去部４４が配置される。この消去部４４は、蓄積性蛍光体シート２２の記録面側に配置される消去ユニット５０を備えており、この消去ユニット５０内には、複数の消去用光源５２が鉛直方向に配列されている。
【００２１】
ローラ対４８により構成される水平搬送路に沿って読み取り部４６が配置される。この読み取り部４６は、カセッテ１８から取り出された蓄積性蛍光体シート２２を副走査方向（矢印Ａ方向）に搬送する副走査搬送機構５４と、副走査方向に搬送される前記蓄積性蛍光体シート２２に主走査方向（副走査方向と略直交する方向）にレーザ光Ｌを照射するレーザ光照射手段（励起光照射手段）５６と、このレーザ光Ｌの照射によって蓄積性蛍光体シート２２から生ずる輝尽発光光を光電的に読み取る第１および第２集光系（集光手段）５８ａ、５８ｂとを備えている。
【００２２】
副走査搬送機構５４は、互いに同期して回転駆動される第１および第２ローラ対６０、６２を備え、この第１および第２ローラ対６０、６２は、駆動ローラ６０ａ、６２ａと、前記駆動ローラ６０ａ、６２ａに対して開閉自在なニップローラ６０ｂ、６２ｂとを設ける。
【００２３】
第１集光系５８ａは、蓄積性蛍光体シート２２の記録面上のレーザ光Ｌの照射位置に主走査線に沿って配置される第１集光ガイド６４ａと、この第１集光ガイド６４ａの上部に装着される第１フォトマルチプライヤ６６ａとを備える。第２集光系５８ｂは、蓄積性蛍光体シート２２の裏面側に配置されており、前記蓄積性蛍光体シート２２の裏面側で主走査線に沿って配置される第２集光ガイド６４ｂと、この第２集光ガイド６４ｂの端部に装着される第２フォトマルチプライヤ６６ｂとを備える。
【００２４】
読み取り部４６の近傍には、搬送系４２を構成する鉛直搬送路の下端縁部に近接して本実施形態に係る清掃装置７０が配置される。図２および図３に示すように、清掃装置７０は、蓄積性蛍光体シート２２の裏面（一方の面）側に配置される固定型の第１除塵部材７２と、前記蓄積性蛍光体シート２２の記録面（他方の面）側に配置される可動型の第２除塵部材７４と、前記第２除塵部材７４を変位させ、該第１および第２除塵部材７２、７４により前記蓄積性蛍光体シート２２の両面を挟持して該蓄積性蛍光体シート２２を清掃するための駆動機構７６とを備える。
【００２５】
第１除塵部材７２は板状に構成されており、その側部に設けられている取り付け部７８を介して装置本体１２内に鉛直方向に向かって固定される。この第１除塵部材７２の少なくとも蓄積性蛍光体シート２２側の面には、緩衝部材８０が設けられている。
【００２６】
駆動機構７６は、モータ（駆動源）８２と、このモータ８２に連結されるとともに、第２除塵部材７４を支持して蓄積性蛍光体シート２２に対し進退可能な支持手段８４とを備える。モータ８２は、フレーム８６に固着されており、このモータ８２の回転駆動軸８８に駆動歯車９０が固着される。この駆動歯車９０に従動歯車９２が噛合しており、前記従動歯車９２が回転軸９４の一端部に固着される。
【００２７】
回転軸９４は、フレーム８６に回転自在に支持されるとともに、この回転軸９４には、従動歯車９２の近傍および該回転軸９４の他端部に位置してそれぞれ支持手段８４を構成する旋回レバー９６が固着される。各旋回レバー９６には、カム板９８の一端が係合するとともに、前記カム板９８には、第２除塵部材７４の進退方向（矢印Ｂ方向）に長尺なガイド穴１００が形成される。
【００２８】
第２除塵部材７４は板状に構成されており、その表面には、蓄積性蛍光体シート２２の記録面側に向かってスポンジ部材１０２と緩衝部材１０４とが積層されている。第２除塵部材７４には、揺動支点となる支軸１０６が設けられており、この支軸１０６に対して蓄積性蛍光体シート２２の清掃時導入側（上部側）の挟持面長さＨ１が、前記蓄積性蛍光体シート２２の清掃時導出側（下部側）の挟持面長さＨ２よりも長尺に構成されている。
【００２９】
支軸１０６には、それぞれスプリング１０８の一端が係合し、前記スプリング１０８の他端が装置本体１２内に固定されている。スプリング１０８は、矢印Ｂ方向に沿って配設されており、支軸１０６が支持手段８４を構成するカム板９８のガイド穴１００に移動可能に挿入されている。第２除塵部材７４は、支持手段８４に支持されて矢印Ｂ方向に進退するものであり、蓄積性蛍光体シート２２を挟持する際に、それぞれの挟持面が前記蓄積性蛍光体シート２２の面方向に略一致するように配置される。一方、第１および第２除塵部材７２、７４により蓄積性蛍光体シート２２を挟持した状態では、前記第２除塵部材７４がカム板９８に対して揺動可能である。
【００３０】
駆動機構７６には、第２除塵部材７４が所定の退避位置、すなわち、蓄積性蛍光体シート２２から離間する位置に配置されたことを検出する開状態検出手段１１０が設けられる。この開状態検出手段１１０は、回転軸９４に固着されて旋回可能なドグ部材１１２と、フレーム８６に固着されて前記ドグ部材１１２を検出するセンサ１１４とを備える。第１および第２除塵部材７２、７４の上方には、蓄積性蛍光体シート２２を検出するためのセンサ１１６が配置されている。
【００３１】
このように構成される画像情報読取装置１０の動作について、本発明に係る清掃方法との関連で以下に説明する。
【００３２】
まず、図示しない撮影装置により人体等の被写体の撮影画像情報が蓄積記録された蓄積性蛍光体シート２２を収容するカセッテ１８が、画像情報読取装置１０のカセッテ装填部２０を構成する支持台３０に沿って装置本体１２の内方に導入される。このカセッテ１８は、その先端部でシャター部材３２を押し開いて該カセッテ１８の先端部が装置本体１２の内部に挿入されるとともに、蓋体２８が所定の位置まで開動される。
【００３３】
そこで、枚葉部３６を構成する吸着盤４０ａ、４０ｂが、カセッテ１８内の蓄積性蛍光体シート２２のベース面に対して上方から斜め下方に傾斜する軌跡に沿って移動する。このため、吸着盤４０ａ、４０ｂが蓄積性蛍光体シート２２のベース面を吸着保持した状態で、カセッテ１８内から搬送系４２側に移動し、前記蓄積性蛍光体シート２２の先端をローラ対４８に挟持させる。蓄積性蛍光体シート２２は、搬送系４２を構成する複数のローラ対４８の回転作用下に水平方向から鉛直下方向に向かって搬送され、消去部４４を一旦通過した後、清掃装置７０に送られる。
【００３４】
図３に示すように、清掃装置７０では、第２除塵部材７４が第１除塵部材７２から離間する位置に配置されており、蓄積性蛍光体シート２２の搬送方向先端がセンサ１１６により検出される。このセンサ１１６からの検出信号に基づいて、蓄積性蛍光体シート２２の搬送方向先端が第１および第２除塵部材７２、７４の間に進入するタイミングが検出され、このタイミングに沿って駆動機構７６を構成するモータ８２が駆動される。
【００３５】
このため、モータ８２の回転駆動軸８８に固着されている駆動歯車９０が矢印Ｃ方向に回転し、この駆動歯車９０に噛合する従動歯車９２が矢印Ｄ方向に回転する。従動歯車９２は、回転軸９４に固着されるとともに、この回転軸９４には支持手段８４を構成する一対の旋回レバー９６が固着されており、前記旋回レバー９６が矢印Ｄ方向に旋回する。旋回レバー９６に係合するカム板９８が矢印Ｂ１方向に移動し、前記カム板９８のガイド穴１００に挿入されている支軸１０６が、スプリング１０８の弾性力を介して矢印Ｂ１方向に引張される。
【００３６】
これにより、第２除塵部材７４は、カム板９８と一体的に矢印Ｂ１方向に移動し、この第２除塵部材７４は、図４に示すように、蓄積性蛍光体シート２２の搬送方向先端を上部側の挟持面で第１除塵部材７２側に押圧し、前記蓄積性蛍光体シート２２の挟持が開始される。
【００３７】
その際、第２除塵部材７４の挟持面は、支軸１０６に対してその上部側の挟持面長さＨ１が下部側の挟持面長さＨ２よりも長尺に構成されている（図３参照）。従って、蓄積性蛍光体シート２２の挟持を開始する際には、第２除塵部材７４による蓄積性蛍光体シート２２の挟持力が相当に小さな値になる。次いで、蓄積性蛍光体シート２２が鉛直下方向に搬送されることにより、第１および第２除塵部材７２、７４を介して前記蓄積性蛍光体シート２２の両面が規定の挟持力で挟持され（図５参照）、該蓄積性蛍光体シート２２の清掃作業が確実に行われる。
【００３８】
このように、本実施形態では、第１および第２除塵部材７２、７４で蓄積性蛍光体シート２２の挟持を開始する際には、規定の挟持状態の挟持力よりも小さな挟持力に設定されている。このため、蓄積性蛍光体シート２２の搬送方向先端が、第２除塵部材７４に衝突する際の衝撃力を有効に吸収することができ、前記第２除塵部材７４の耐久性を有効に向上させるとともに、該蓄積性蛍光体シート２２の搬送負荷を軽減することが可能になるという効果が得られる。しかも、駆動機構７６を構成するモータ８２の小型化が容易に図られる他、蓄積性蛍光体シート２２を高速搬送しながら清掃作業が遂行されるため、サイクルタイムの低下を惹起することがない。
【００３９】
さらに、第２除塵部材７４が蓄積性蛍光体シート２２側に移動する際に、この第２除塵部材７４の挟持面が前記蓄積性蛍光体シート２２の記録面の面方向に略一致するように保持されている。従って、第１および第２除塵部材７２、７４で蓄積性蛍光体シート２２の搬送方向先端の挟持を開始する際には、この蓄積性蛍光体シート２２と、第１および第２除塵部材７２、７４の挟持面とのなす角度が浅くなり、前記第２除塵部材７４への衝撃が有効に緩和されて該第２除塵部材７４の耐久性の向上と、該蓄積性蛍光体シート２２の搬送負荷の軽減が確実に図られる。
【００４０】
図５に示すように、第１および第２除塵部材７２、７４を介して蓄積性蛍光体シート２２の両面が挟持された状態で、この蓄積性蛍光体シート２２が読み取り部４６側に向かって搬送される。これにより、蓄積性蛍光体シート２２の両面に付着している塵埃等が確実に除去され、該蓄積性蛍光体シート２２の清掃作業が遂行される。ここで、第２除塵部材７４は、支持手段８４に対して支軸１０６を支点に揺動可能である。従って、第２除塵部材７４の挟持面を蓄積性蛍光体シート２２の記録面に確実に密着させることができ、この記録面の清掃性を確保するとともに、前記蓄積性蛍光体シート２２の搬送負荷を有効に軽減することが可能になる。
【００４１】
さらにまた、第１および第２除塵部材７２、７４の表面側には、それぞれ緩衝部材８０、１０４が設けられており、蓄積性蛍光体シート２２の表面に損傷等を与えることがない。その際、特に、蓄積性蛍光体シート２２の記録面側に配置されている第２除塵部材７４は、スポンジ部材１０２と緩衝部材１０４とが積層されており、該記録面の保護が一層確実になされるという利点がある。
【００４２】
蓄積性蛍光体シート２２は、清掃装置７０によってその両面に付着している塵埃等が確実に除去された後、読み取り部４６に送られる。この読み取り部４６では、図１に示すように、蓄積性蛍光体シート２２が副走査搬送機構５４を構成する第１および第２ローラ対６０、６２の作用下に矢印Ａ方向に副走査搬送されながら、この蓄積性蛍光体シート２２の記録面側にレーザ光照射手段５６からレーザ光Ｌが主走査される。
【００４３】
これにより、蓄積性蛍光体シート２２の記録面側から発せられる輝尽発光光が第１集光系５８ａにより光電的に読み取られるとともに、透明なベース面を透過して前記蓄積性蛍光体シート２２の裏面側から発せられる輝尽発光光が第２集光系５８ｂにより光電的に読み取られる。従って、読み取り精度が向上し、特に、マンモ撮影等のような高画質が望まれる際にも有効に適応可能になる。
【００４４】
読み取り処理後の蓄積性蛍光体シート２２は、副走査搬送機構５４によりスイッチバックされ、清掃装置７０に送られる。この清掃装置７０では、図３に示すように、第２除塵部材７４が蓄積性蛍光体シート２２の搬送路上から退避しており、第１および第２除塵部材７２、７４がこの蓄積性蛍光体シート２２の搬送時の補助ガイドとしての機能を有している。このため、読み取り処理後の蓄積性蛍光体シート２２は、特に、記録面が第２除塵部材７４に接触して塵埃等が再付着することを確実に阻止することができる。
【００４５】
清掃装置７０を通過した蓄積性蛍光体シート２２は、鉛直上方向に搬送されて消去部４４を構成する消去ユニット５０を通って枚葉部３６側に搬送される。その際、消去ユニットを構成する消去用光源５２を介して蓄積性蛍光体シート２２に消去光が照射され、前記蓄積性蛍光体シート２２に残存する放射線画像情報の消去処理が行われる。消去処理後の蓄積性蛍光体シート２２は、枚葉部３６を構成する吸着板４０ａ、４０ｂの吸着作用下に空のカセッテ１８内に送り込まれる。
【００４６】
これにより、本実施形態では、蓄積性蛍光体シート２２に記録された放射線画像情報の読み取り時に、塵埃等による読み取り不良が発生することを阻止し、高品質な読み取り処理が遂行される。一方、この蓄積性蛍光体シート２２に放射線画像情報を記録（撮影）する際に、撮影画像に塵埃等による不良が惹起されることがなく、高精度な撮影処理が遂行されるという効果が得られる。
【００４７】
なお、本実施形態では、蓄積性蛍光体シート２２がカセッテ１８を介して着脱される画像情報読取装置１０を例示して説明したが、これに限定されるものではなく、装置内で蓄積性蛍光体シート２２が循環または往復されるビルトイン方式の画像情報読取装置を用いることもできる。また、シート状記録媒体としては、蓄積性蛍光体シート２２に代替して、写真フイルム等の他、各種のシート状記録媒体が使用可能である。
【００４８】
さらにまた、本実施形態では、第１除塵部材７２を固定型とし、第２除塵部材７４を駆動機構７６の作用下に進退可能に構成しているが、前記第１除塵部材７２を進退可能に構成する一方、前記第２除塵部材７４を固定型として構成してもよく、また、前記第１および第２除塵部材７２、７４を可動型として構成することもできる。
【００４９】
【発明の効果】
本発明に係るシート状記録媒体の清掃方法および装置では、シート状記録媒体の搬送方向先端が、互いに離間配置されている第１および第２除塵部材間に進入する際、前記第１および第２除塵部材を相対的に近接変位させて前記シート状記録媒体を挟持することにより、該シート状記録媒体を円滑かつ確実に清掃することができる。
【００５０】
これにより、簡単な構成で、シート状記録媒体の清掃作業が効率的に遂行され、前記シート状記録媒体に対し所望の処理が高精度に遂行されることになる。しかも、シート状記録媒体が第１および第２除塵部材間に進入する際の衝撃が緩和され、前記第１および第２除塵部材の耐久性が向上するとともに、駆動源の小型化が容易に図られる。さらに、シート状記録媒体を高速搬送しながら清掃作業が遂行されるため、サイクルタイムの低下を惹起することがない。
【図面の簡単な説明】
【図１】本発明の実施形態に係る清掃装置が組み込まれる画像情報読取装置の内部構成説明図である。
【図２】前記清掃装置の要部斜視説明図である。
【図３】前記清掃装置の正面説明図である。
【図４】前記清掃装置により蓄積性蛍光体シートの先端が挟持される際の動作説明図である。
【図５】前記清掃装置で前記蓄積性蛍光体シートを規定の挟持力で挟持した状態の動作説明図である。
【符号の説明】
１０…画像情報読取装置              １２…装置本体
１８…カセッテ                      ２０…カセッテ装填部
２２…蓄積性蛍光体シート            ３６…枚葉部
４２…搬送系                        ４４…消去部
４６…読み取り部                    ７０…清掃装置
７２、７４…除塵部材                ７６…駆動機構
８０、１０４…緩衝部材              ８２…モータ
８４…支持手段                      ９０…駆動歯車
９２…従動歯車                      ９４…回転軸
９６…旋回レバー                    ９８…カム板
１００…ガイド穴                    １０２…スポンジ部材
１０６…支軸                        １０８…スプリング
１１０…開状態検出手段              １１２…ドグ部材
１１４…センサ
【図１】
0004283983.tif 000002
【図２】
0004283983.tif 000003
【図３】
0004283983.tif 000004
【図４】
0004283983.tif 000005
【図５】
0004283983.tif 000006